【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
光ファイバレセプタクル内に適合するサイズであって、光ファイバ端子を受け入れるための長手方向通路を有するハウジングと、
前記ハウジングに取り付けられたベースと、前記ベースから延びる第１の端部及び前記長手方向通路に直交する第１の方向において前記第１の端部よりも幅広の第２の端部を有する可撓部と、前記光ファイバレセプタクルの壁と係合して前記ハウジングが誤って前記レセプタクルから分離することを防止するために、前記可撓部の第２の端部から前記長手方向通路に向かって下方に延びるレッジと、を有する可撓性係止部材と、
を備えることを特徴とする光ファイバコネクタ。
【請求項２】
さらに、前記係止部材のベースを前記ハウジングに固定する固定部材を備えることを特徴とする請求項１に記載の光ファイバコネクタ。
【請求項３】
前記固定部材は、前記ハウジングの開口部のネジと螺合するネジ部を有することを特徴とする請求項２に記載の光ファイバコネクタ。
【請求項４】
前記可撓部は、取外し工具と係合するスロットを有することを特徴とする請求項１〜３のいずれか一項に記載の光ファイバコネクタ。
【請求項５】
前記可撓部は、前記ベースに隣接して撓むことを特徴とする請求項１〜４のいずれか一項に記載の光ファイバコネクタ。
【請求項６】
さらに、前記レセプタクルに取り付けられたときに前記可撓性係止部材が上方に移動するのを防ぐために、前記レッジから軸方向に延びて前記レセプタクルの一部の下側に当接するように構成された平坦部を備えることを特徴とする請求項１〜５のいずれか一項に記載の光ファイバコネクタ。
【請求項７】
さらに、前記平坦部の後方から当該平坦部と略直交して上方に延び、前記コネクタを意図的に取り外す際にユーザがつかむ領域を提供するフランジを備えることを特徴とする請求項６に記載の光ファイバコネクタ。
【請求項８】
さらに、前記係止部材を補強するために、前記可撓部の第２の端部の後方で前記平坦部から上方に延在する隆起部分を備えることを特徴とする請求項６又は７に記載の光ファイバコネクタ。
【請求項９】
前記可撓係止部材は、第１係合位置に付勢され、前記ハウジングに向かって下方の第２係合解除位置へ向けた可撓性を有することを特徴とする請求項１〜８のいずれか一項に記載の光ファイバコネクタ。
【請求項１０】
後壁を有する保持ノッチを含む光ファイバレセプタクルと、
光ファイバコネクタと、を備える光ファイバアセンブリであって、
前記光ファイバコネクタは、前記光ファイバレセプタクル内に適合するサイズであって、光ファイバ端子を受け入れるための長手方向通路を有するハウジングと、可撓性係止部材と、を有し、
前記可撓性係止部材は、前記ハウジングに取り付けられたベースと、前記ベースから延びる第１の端部及び第２の端部を有する可撓部と、前記後壁と係合するために前記可撓部の第２の端部から前記長手方向通路に向かって下方に延びるレッジと、前記レッジから軸方向に延びて前記レセプタクルの一部の下側に当接する平坦部と、を有する、
ことを特徴とする光ファイバアセンブリ。
【請求項１１】
前記保持ノッチは、前記レセプタクルの内向きに延在する部分によって形成される脚部と、前記脚部よりも幅広のヘッドチャンバとを有し、
前記後壁は、前記脚部の近位にある前記ヘッドチャンバの後部を形成することを特徴とする請求項１０に記載の光ファイバアセンブリ。
【請求項１２】
前記レセプタクルに取り付けられたときに、前記可撓性係止部材の上方移動を防ぐために前記可撓部が前記後壁に係合されると、前記平坦部が前記内向きに延在する部分の下側に当接するように構成されることを特徴とする請求項１１に記載の光ファイバアセンブリ。
【請求項１３】
前記可撓部は、前記ベースに隣接して撓むことを特徴とする請求項１０〜１２のいずれか一項に記載の光ファイバアセンブリ。
【請求項１４】
さらに、前記平坦部の後方から当該平坦部と略直交して上方に延び、前記コネクタを意図的に取り外す際にユーザがつかむ領域を提供するフランジを備えるを特徴とする請求項１０〜１３のいずれか一項に記載の光ファイバアセンブリ。
【請求項１５】
さらに、前記係止部材を補強するために、前記可撓部の第２の端部の後方で前記平坦部から上方に延在する隆起部分を備えることを特徴とする請求項１４に記載の光ファイバアセンブリ。
【手続補正２】
【補正対象書類名】図面
【補正対象項目名】図１
【補正方法】変更
【補正の内容】
【図１】
2021501362.tif 000001
【手続補正３】
【補正対象書類名】図面
【補正対象項目名】図２
【補正方法】変更
【補正の内容】
【図２】
2021501362.tif 000002
【手続補正４】
【補正対象書類名】図面
【補正対象項目名】図３
【補正方法】変更
【補正の内容】
【図３】
2021501362.tif 000003
【手続補正５】
【補正対象書類名】図面
【補正対象項目名】図４
【補正方法】変更
【補正の内容】
【図４】
2021501362.tif 000004
【手続補正６】
【補正対象書類名】図面
【補正対象項目名】図５
【補正方法】変更
【補正の内容】
【図５】
2021501362.tif 000005
【手続補正７】
【補正対象書類名】図面
【補正対象項目名】図６
【補正方法】変更
【補正の内容】
【図６】
2021501362.tif 000006
【手続補正８】
【補正対象書類名】図面
【補正対象項目名】図７
【補正方法】変更
【補正の内容】
【図７】
2021501362.tif 000007
【手続補正９】
【補正対象書類名】図面
【補正対象項目名】図８
【補正方法】変更
【補正の内容】
【図８】
2021501362.tif 000008
【手続補正１０】
【補正対象書類名】図面
【補正対象項目名】図９
【補正方法】変更
【補正の内容】
【図９】
2021501362.tif 000009
【手続補正１１】
【補正対象書類名】図面
【補正対象項目名】図１０
【補正方法】変更
【補正の内容】
【図１０】
2021501362.tif 000010
【手続補正１２】
【補正対象書類名】図面
【補正対象項目名】図１１
【補正方法】変更
【補正の内容】
【図１１】
2021501362.tif 000011
【手続補正１３】
【補正対象書類名】図面
【補正対象項目名】図１２
【補正方法】変更
【補正の内容】
【図１２】
2021501362.tif 000012
【手続補正１４】
【補正対象書類名】図面
【補正対象項目名】図１３
【補正方法】変更
【補正の内容】
【図１３】
2021501362.tif 000013
【手続補正１５】
【補正対象書類名】図面
【補正対象項目名】図１４
【補正方法】変更
【補正の内容】
【図１４】
2021501362.tif 000014
【手続補正１６】
【補正対象書類名】図面
【補正対象項目名】図１５
【補正方法】変更
【補正の内容】
【図１５】
2021501362.tif 000015
【手続補正１７】
【補正対象書類名】図面
【補正対象項目名】図１６
【補正方法】変更
【補正の内容】
【図１６】
2021501362.tif 000016
【手続補正１８】
【補正対象書類名】図面
【補正対象項目名】図１７
【補正方法】変更
【補正の内容】
【図１７】
2021501362.tif 000017
【手続補正１９】
【補正対象書類名】図面
【補正対象項目名】図１８
【補正方法】変更
【補正の内容】
【図１８】
2021501362.tif 000018
【手続補正２０】
【補正対象書類名】図面
【補正対象項目名】図１９
【補正方法】変更
【補正の内容】
【図１９】
2021501362.tif 000019
【手続補正２１】
【補正対象書類名】図面
【補正対象項目名】図２０
【補正方法】変更
【補正の内容】
【図２０】
2021501362.tif 000020
【手続補正２２】
【補正対象書類名】図面
【補正対象項目名】図２１
【補正方法】変更
【補正の内容】
【図２１】
2021501362.tif 000021
【手続補正２３】
【補正対象書類名】図面
【補正対象項目名】図２２
【補正方法】変更
【補正の内容】
【図２２】
2021501362.tif 000022
【手続補正２４】
【補正対象書類名】図面
【補正対象項目名】図２３
【補正方法】変更
【補正の内容】
【図２３】
2021501362.tif 000023
【手続補正２５】
【補正対象書類名】図面
【補正対象項目名】図２４
【補正方法】変更
【補正の内容】
【図２４】
2021501362.tif 000024
【手続補正２６】
【補正対象書類名】図面
【補正対象項目名】図２５
【補正方法】変更
【補正の内容】
【図２５】
2021501362.tif 000025
【手続補正２７】
【補正対象書類名】図面
【補正対象項目名】図２６
【補正方法】変更
【補正の内容】
【図２６】
2021501362.tif 000026